(57)【要約】      （修正有）【課題】弾性部材と台座部との間の接合力を向上して摺動子がスライドユニットから抜けることを回避し得るスライダー組合せ構造及びその弾性部材を提供する。【解決手段】スライダー組合せ構造及びその弾性部材は、ベース部１０と、ベース部に設けられる台座部１３と、台座部に固定される第１の固定部１５１と第２の固定部１５４と、第１、第２の固定部間に接続される露出部１５５と、第１の固定部から延在する弾性部１５２と、弾性部から延在すると共にフック部材１４に当接する当接部１５３とを有する弾性部材１５と、台座部に移動可能に設けられ、弾性部材の当接部に移動可能に接触するフック部材１４とを有するスライドユニットと、フック部材と移動可能に相互に嵌合される摺動子とを備える。第１の固定部１５１及び第２の固定部１５４の何れも台座部１３に固定されるので、弾性部材１５と台座部との間の接合力を向上することができる。それにより、弾性部材が台座部から抜けることを回避する。【選択図】図７
0003213950.tif 000002
【実用新案登録請求の範囲】
【請求項１】
スライダー、弾性部材及びフック部材を備えるスライドユニットと、
前記フック部材と移動可能に相互に嵌合される摺動子と、
を備え、
前記スライダーは、
ベース部と、
それぞれ前記ベース部の二つの反対側端から上方に延びており、双方が相互に対応すると共に前記ベース部の先端部に接続される第１の側止め部と第２の側止め部と、
前記ベース部に設けられると共に前記ベース部の後端部に接続される台座部であって、前記第１の側止め部と前記第２の側止め部との間に位置する貫通式位置決め開口を有する台座部と、
を備え、
前記弾性部材は、前記台座部に設けられると共に前記フック部材に弾性的に当接され、
前記弾性部材は、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部と、
を備え、
前記フック部材は、前記台座部に移動可能に設けられると共に前記弾性部材の前記当接部に移動可能に接触し、
前記フック部材の一方の末端には前記貫通式位置決め開口を通過する位置決め部を有することを特徴とする、スライダー組合せ構造。
【請求項２】
前記弾性部の弾性率を増やすように、前記弾性部の厚さは前記第１の固定部の厚さよりも小さく、
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項１に記載のスライダー組合せ構造。
【請求項３】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
前記台座部の外表面には内部へ凹む少なくとも一つの凹みスペースを有し、
前記台座部の内表面には少なくとも一つの前記凹みスペースに隣接して対応する少なくとも一つの突出体を有し、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容溝に位置制限される係止体を有することを特徴とする、請求項１に記載のスライダー組合せ構造。
【請求項４】
スライドユニットのスライダーの台座部に設けられると共に、前記台座部に移動可能に設けられるフック部材に弾性的に当接される弾性部材であって、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部とを備えることを特徴とする、弾性部材。
【請求項５】
前記弾性部の弾性率を増やすように、前記弾性部の厚さは前記第１の固定部の厚さよりも小さく、
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項４に記載の弾性部材。
【請求項６】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
前記台座部の外表面には内部へ凹む少なくとも一つの凹みスペースを有し、
前記台座部の内表面には少なくとも一つの前記凹みスペースに隣接して対応する少なくとも一つの突出体を有し、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容溝に位置制限される係止体を有することを特徴とする、請求項４に記載の弾性部材。
【請求項７】
スライダー、弾性部材及びフック部材を備えるスライドユニットと、
前記フック部材と移動可能に相互に嵌合される摺動子と、
を備え、
前記スライダーは、
ベース部と、
前記ベース部に設けられ、貫通式位置決め開口を有する台座部と、
を備え、
前記弾性部材は、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部と、
を備え、
前記フック部材は、前記台座部に移動可能に設けられると共に、前記弾性部材の前記当接部に移動可能に接触し、
前記フック部材の一方の末端には前記貫通式位置決め開口を通過する位置決め部を有し、
前記台座部の外表面には内部へ凹む少なくとも一つの凹みスペースを有し、
前記台座部の内表面には少なくとも一つの前記凹みスペースに隣接して対応する少なくとも一つの突出体を有し、
前記フック部材の他方の末端には前記突出体によって位置制限される固着部を有することを特徴とする、スライダー組合せ構造。
【請求項８】
前記弾性部の弾性率を増やすように、前記弾性部の厚さは前記第１の固定部の厚さよりも小さく、
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項７に記載のスライダー組合せ構造。
【請求項９】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容溝に位置制限される係止体を有することを特徴とする、請求項７に記載のスライダー組合せ構造。
【請求項１０】
前記スライダー組合せ構造が、第１の務歯キャリアと前記第１の務歯キャリアに固定される複数の第１の務歯とを備える第１の務歯テープと、第２の務歯キャリアと前記第２の務歯キャリアに固定される複数の第２の務歯を備えると共に前記第１の務歯テープと相互に嵌合される第２の務歯テープとを有する務歯構造に設けられ、
一つの前記第１の務歯が二つの前記第２の務歯間に係止されることによって、前記第１の務歯と二つの前記第２の務歯との間に前記フック部材の前記位置決め部が挿入される隙間を形成することを特徴とする、請求項７に記載のスライダー組合せ構造。
【考案の詳細な説明】
【技術分野】
【０００１】
本考案は組合せ構造及びその弾性部材に関し、特にスライダー組合せ構造及びその弾性部材に関する。
【背景技術】
【０００２】
通常の服装の基本噛合エレメントはボタン又はファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテープに係合されファスナー構造による往復引張りの連結エレメントとされることで、ファスナー構造を服飾及びアクセサリーに用いることがさらに普及しつつある。しかし、従来技術のファスナー構造のスライダー、弾性部材及びフック部材は単独でも、又は２つずつでも、係合においてはまだ改善の空間がある。
【考案の概要】
【考案が解決しようとする課題】
【０００３】
本考案は、従来技術のデメリットを解消したスライダー組合せ構造及びその弾性部材を提供することを課題とする。
【課題を解決するための手段】
【０００４】
上記の技術問題を解決するために、本考案は、スライダー、弾性部材及びフック部材を備えるスライドユニットと、フック部材と移動可能に相互に嵌合される摺動子と、を備えるスライダー組合せ構造を提供する。スライダーは、ベース部と、それぞれベース部の二つの反対側端から上方に延びており、双方が相互に対応すると共にベース部の先端部に接続される第１の側止め部と第２の側止め部と、ベース部に設けられると共にベース部の後端部に接続される台座部であって、第１の側止め部と第２の側止め部との間に位置する貫通式位置決め開口を有する台座部と、を備える。弾性部材は、台座部に設けられると共にフック部材に弾性的に当接される。弾性部材は、台座部に固定される第１の固定部と、台座部に固定される第２の固定部と、第１の固定部と第２の固定部との間に接続されると共に台座部の外部に露出する露出部と、第１の固定部から延在する弾性部と、弾性部から延在すると共にフック部材に当接する当接部と、を備える。フック部材は、台座部に移動可能に設けられると共に弾性部材の当接部に移動可能に接触する。フック部材の一方の末端には貫通式位置決め開口を通過する位置決め部を有する。
【０００５】
上記の技術問題を解決するために、本考案はスライドユニットのスライダーの台座部に設けられると共に、台座部に移動可能に設けられるフック部材に弾性的に当接される弾性部材を提供する。弾性部材は、台座部に固定される第１の固定部と、台座部に固定される第２の固定部と、第１の固定部と第２の固定部との間に接続されると共に台座部の外部に露出する露出部と、第１の固定部から延在する弾性部と、弾性部から延在すると共にフック部材に当接する当接部とを備える。
【考案の効果】
【０００６】
本考案に係るスライダー組合せ構造及びその弾性部材は、「弾性部材の第１の固定部と第２の固定部の何れも台座部に固定される」という技術特徴により、弾性部材と台座部との間の接合力を向上することができる。それにより、弾性部材が台座部から抜けることを回避することができる。即ち、摺動子がスライドユニットから抜けることを回避することができる。
【図面の簡単な説明】
【０００７】
【図１】本考案のスライドユニット（弾性部材がまだ台座部の頂部によって係止されていない）の概略的分解斜視図である。
【図２】本考案のスライドユニット（弾性部材が台座部の頂部によって係止された）の概略的組合せ上面図である。
【図３】本考案のスライドユニットの弾性部材の概略的側面図である。
【図４】本考案のスライドユニットの弾性部材の概略的平面図である。
【図５】本考案のスライドユニットの弾性部材の概略的底面図である。
【図６】本考案のスライドユニット（弾性部材が台座部の頂部によって係止された）の概略的組合せ斜視図である。
【図７】図６のＶＩＩ−ＶＩＩ線に沿う概略的断面図である。
【図８】本考案のフック部材の概略的斜視図である。
【図９】本考案のスライダー組合せ構造の概略的斜視図である。
【図１０】本考案のスライダー組合せ構造のフック部材が上方へ引っ張られる前の部分概略断面図である。
【図１１】本考案のスライダー組合せ構造のフック部材が上方へ引っ張られた後の部分概略断面図である。
【図１２】本考案のスライダー組合せ構造が務歯構造においてスライドする場合の概略的平面図である。
【図１３】本考案の位置決め部が隙間に挿入される場合の拡大模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
以下に所定の具体的実施例により、本考案に開示される「スライダー組合せ構造及びその弾性部材」に関する実施の形態を説明する。当業者は本明細書に開示される内容から、本考案のメリットと効果を知ることが可能になる。本考案は、他の異なる具体的実施例を介して実施又は応用されてもよく、本明細書中の各詳細は異なる観点と応用に基づき、本考案の主旨を逸脱することなく種々の修飾と変更を行ってもよい。また、本考案の添付図面は簡単な概略的説明に過ぎず、実際のサイズに従い記述するものではないことを明らかにしておく。以下の実施の形態は、本考案の関連技術内容をより詳しく説明するが、開示される内容は本考案の実用新案登録請求の範囲を制限するためのものではない。
【００１０】
図１から図８を参照する。本考案は、ベース部１０と、第１の側止め部１１と、第２の側止め部１２と、台座部１３と、フック部材１４と、弾性部材１５とを備えるスライドユニット１（スライダーユニットとも言う）を提供する。ベース部１０、第１の側止め部１１、第２の側止め部１２及び台座部１３はスライダーＡを構成する。
【００１１】
図１、図６及び図７を参照すると、第１の側止め部１１と第２の側止め部１２は、それぞれベース部１０の二つの反対側端から上方に延びる。第１の側止め部１１と第２の側止め部１２は、相互に対応する。第１の側止め部１１と第２の側止め部１２は、それぞれベース部１０の先端部１０１に接続される。また、台座部１３は、ベース部１０に設けられると共に、ベース部１０の後端部１０２に接続される。台座部１３は、第１の側止め部１１と第２の側止め部１２との間に位置する貫通式位置決め開口１３０を有する。なお、弾性部材１５は、台座部１３に設けられると共に、フック部材１４に弾性的に当接される。弾性部材１５は、台座部１３に固定される第１の固定部１５１と、台座部１３に固定される第２の固定部１５４と、第１の固定部１５１と第２の固定部１５４との間に接続されると共に台座部１３の外部に露出する露出部１５５と、第１の固定部１５１から延在する弾性部１５２と、弾性部１５２から延在すると共にフック部材１４に当接する当接部１５３とを有する。なお、フック部材１４は、台座部１３に移動可能に設けられると共に、弾性部材１５の当接部１５３に移動可能に接触する。フック部材１４の一方の末端には貫通式位置決め開口１３０を通過する位置決め部１４０を有する。
【００１２】
なお、図３に示すように、弾性部１５２の弾性率及び弾性力を増やすように、弾性部１５２の厚さｈ２は第１の固定部１５１の厚さｈ１よりも小さい。それにより、弾性部１５２に弾性疲労あるいは塑性変形を発生することを回避し、弾性部材１５の使用寿命を効率的に向上できる。また、第１の固定部１５１の厚さｈ１、第２の固定部１５４の厚さｈ４及び露出部１５５の厚さｈ５はほぼ同様である。当接部１５３の末端には傾斜フリップ角１５３０を有する。なお、図８に示すように、フック部材１４は、均一の厚さＨを有する。位置決め部１４０の一方の側面には、逃がしエッジトリム１４００を有する。
【００１３】
さらには、図１、図４及び図５に基づき、第１の固定部１５１は、前固定セグメント１５１１と、弾性部１５２に接続される後固定セグメント１５１２と、前固定セグメント１５１１と後固定セグメント１５１２との間に接続される中間固定セグメント１５１３とを有する。弾性部材１５の幅について、図４に示すように、後固定セグメント１５１２の幅Ｗ１２は前固定セグメント１５１１の幅Ｗ１１よりも小さく、かつ中間固定セグメント１５１３の幅Ｗ１３は前固定セグメント１５１１から後固定セグメント１５１２に向けて徐々に小さくなっていく。弾性部１５２の弾性率及び弾性力を増やすように、弾性部１５２の幅Ｗ２は後固定セグメント１５１２の幅Ｗ１２よりも遥かに小さい。それにより、弾性部１５２に弾性疲労あるいは塑性変形を発生することを回避し、弾性部材１５の使用寿命を効率的に向上できる。また、図５に示すように、当接部１５３の幅Ｗ３は、弾性部１５２の幅Ｗ２よりも大きいか、又は弾性部１５２の幅Ｗ２に等しい。当接部１５３の幅Ｗ３が弾性部１５２の幅Ｗ２よりも大きい場合、弾性部材１５とフック部材１４との間の接触面積は大きくなる。なお、図４と図５に基づき、当接部１５３の幅Ｗ３と露出部１５５の幅Ｗ５はほぼ同様である。第２の固定部１５４の幅Ｗ４は、徐々に小さくなっている。
【００１４】
さらには、図１と図３に基づき、後固定セグメント１５１２は、中間固定セグメント１５１３に接続される第１の固定セグメント１５１２１と、第１の固定セグメント１５１２１と弾性部１５２との間に接続される第２の固定セグメント１５１２２とを有する。弾性部材１５の厚さについて、図３に示すように、弾性部１５２の厚さｈ２は後固定セグメント１５１２の第１の固定セグメント１５１２１の厚さｈ１１と第２の固定セグメント１５１２２の厚さｈ１２よりも小さく、かつ第２の固定セグメント１５１２２の厚さｈ１２は第１の固定セグメント１５１２１から弾性部１５２に向けて徐々に小さくなっていく。また、弾性部１５２の厚さｈ２と当接部１５３の厚さｈ３はほぼ同様である。
【００１５】
さらには、図１、図２及び図６に基づき、台座部１３は、前固定セグメント１５１１を固定するための前固着セグメント１３０１と、後固定セグメント１５１２を固定するための後固着セグメント１３０２と、前固着セグメント１３０１と後固着セグメント１３０２との間に接続され、中間固定セグメント１５１３を固定するための中間固着セグメント１３０３とを有する。また、図２に示すように、後固着セグメント１３０２の幅Ｗ２’は前固着セグメント１３０１の幅Ｗ１’よりも小さく、かつ中間固着セグメント１３０３の幅Ｗ３’は前固着セグメント１３０１から後固着セグメント１３０２に向けて徐々に小さくなっていく。中間固着セグメント１３０３の幅Ｗ３’と後固着セグメント１３０２の幅Ｗ２’は、全て前固着セグメント１３０１の幅Ｗ１’よりも小さいので、台座部１３と衣類との間の摩擦力を効率的に低減することができる。これにより、スライドユニット１と衣類とのスライド係合における滑らかさが向上する。なお、図２と図６に基づき、台座部１３は、前固着セグメント１３０１と互いに離間され、第２の固定部１５４を固定するための補助固着セグメント１３０４を有する。
【００１６】
さらには、図１、図６及び図７に基づき、台座部１３の外表面１３００１には内部へ凹む少なくとも一つの凹みスペース１５１２３を有する。台座部１３の内表面１３００２には少なくとも一つの凹みスペース１５１２３に隣接して対応する少なくとも一つの突出体１５１２４を有する。少なくとも一つの凹みスペース１５１２３と少なくとも一つの突出体１５１２４の何れも台座部１３の後固着セグメント１３０２に設けられる。なお、図７に示すように、台座部１３は第１の収容凹溝１３１と、第２の収容凹溝１３２とを有する。フック部材１４の他方の末端には、突出体１５１２４を介して第１の収容凹溝１３１に位置制限される固着部１４１が設けられる。つまり、フック部材１４の固着部１４１が突出体１５１２４の係止のため継続的に第１の収容凹溝１３１内に収容されるので、フック部材１４は固着部１４１を回転軸として上へ（図１１に示すように）あるいは下へ（図１０に示すように）移動する。また、第２の固定部１５４は、第２の収容溝１３２に位置制限される係止体１５４０を有する。
【００１７】
図９から図１３を参照する。本考案は、相互に嵌合される第１の務歯テープ３１と第２の務歯テープ３２とを有する務歯構造３（ファスナーテープとも言う）に設けられ、スライドユニット１と摺動子２（引手とも言う）とを備えるスライダー組合せ構造Ｚを提供する。
【００１８】
図１、図９及び図１２を参照すると、スライドユニット１は、ベース部１０と、第１の側止め部１１と、第２の側止め部１２と、台座部１３と、フック部材１４と、弾性部材１５とを備える。第１の側止め部１１と第２の側止め部１２は、それぞれベース部１０の二つの反対側端から上方に延びる。第１の側止め部１１と第２の側止め部１２は相互に対応する。第１の側止め部１１と第２の側止め部１２はそれぞれベース部１０の先端部１０１に接続される。また、台座部１３は、ベース部１０に設けられると共にベース部１０の後端部１０２に接続される。台座部１３は、第１の側止め部１１と第２の側止め部１２との間に位置する貫通式位置決め開口１３０を有する。なお、弾性部材１５は、台座部１３に設けられると共に、フック部材１４に弾性的に当接される。弾性部材１５は、台座部１３に固定される第１の固定部１５１と、台座部１３に固定される第２の固定部１５４と、第１の固定部１５１と第２の固定部１５４との間に接続されると共に台座部１３の外部に露出する露出部１５５と、第１の固定部１５１から延在する弾性部１５２と、弾性部１５２から延在すると共にフック部材１４に当接する当接部１５３とを有する。なお、フック部材１４は、台座部１３に移動可能に設けられると共に、弾性部材１５の当接部１５３に移動可能に接触する。フック部材１４の一方の末端には貫通式位置決め開口１３０を通過する位置決め部１４０を有する。また、摺動子２はフック部材１４と移動可能に相互に嵌合される。例えば、摺動子２の一方の末端部２０には、フック部材１４と移動可能に相互に嵌合される可動部品２１を有する。
【００１９】
さらには、図１２と図１３に基づき、第１の務歯テープ３１は、第１の務歯キャリア３１０と、第１の務歯キャリア３１０に固定される複数の第１の務歯３１１とを備える。第２の務歯テープ３２は、第２の務歯キャリア３２０と、第２の務歯キャリア３２０に固定される複数の第２の務歯３２１とを備える。また、図１３に示すように、各第１の務歯３１１は二つの隣接する第２の務歯３２１間に係止される。一つの第１の務歯３１１が、二つの第２の務歯３２１の間に係止され、一つの第１の務歯３１１と二つの第２の務歯３２１との間に隙間ｇを形成する場合、隙間ｇには位置決め部１４０が挿入され得るので、スライダー組合せ構造Ｚは、位置決め部１４０と隙間ｇとの係合を介して、正確に務歯構造３に位置決めされることが可能になる。
【００２０】
［実施例の効果］
以上をまとめると、本考案の有益な効果は、本考案に係るスライダー組合せ構造Ｚ及びその弾性部材１５は、「弾性部材１５の第１の固定部１５１と第２の固定部１５４の何れも台座部１３に固定される」という技術特徴により、弾性部材１５と台座部１３との間の接合力（又は結合強度）を向上することができる。それにより、弾性部材１５が台座部１３から抜けることを回避することができる。即ち、摺動子２がスライドユニット１から抜けることを回避することができる。
【００２１】
なお、本考案に係るスライダー組合せ構造Ｚ及びその弾性部材１５は、「弾性部材１５は、台座部１３に固定される第１の固定部１５１と、第１の固定部１５１から延在する弾性部１５２と、弾性部１５２から延在すると共にフック部材１４に当接する当接部１５３とを有する」及び「弾性部１５２の厚さｈ２は第１の固定部１５１の厚さｈ１よりも小さい」という技術特徴により、弾性部１５２の弾性率及び弾性力を増やすために用いられる。それにより、弾性部１５２に弾性疲労あるいは塑性変形を発生することを回避し、弾性部材１５の使用寿命を効率的に向上できる。
【００２２】
なお、本考案に係るスライダー組合せ構造Ｚ及びその弾性部材１５は、「台座部１３の外表面１３００１には内部へ凹む少なくとも一つの凹みスペース１５１２３を有し、内表面１３００２には少なくとも一つの凹みスペース１５１２３に隣接して対応する少なくとも一つの突出体１５１２４を有する」及び「フック部材１４の他方の末端には突出体１５１２４によって位置制限される固着部１４１を有する」という技術特徴により、フック部材１４の固着部１４１が突出体１５１２４の係止のため継続的に第１の収容凹溝１３１内に収容されるので、フック部材１４は固着部１４１を回転軸として上へあるいは下へ移動することができる。
【００２３】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００２４】
１    スライドユニット
１０    ベース部
１０１    先端部
１０２    後端部
１１    第１の側止め部
１２    第２の側止め部
１３    台座部
１３００１    外表面
１３００２    内表面
１３０１    前固着セグメント
１３０２    後固着セグメント
１３０３    中間固着セグメント
１３０４    補助固着セグメント
１３０    貫通式位置決め開口
１３１    第１の収容凹溝
１３２    第２の収容凹溝
１４    フック部材
１４０    位置決め部
１４００    逃がしエッジトリム
１４１    固着部
１５    弾性部材
１５１    第１の固定部
１５１１    前固定セグメント
１５１２    後固定セグメント
１５１２１    第１の固定セグメント
１５１２２    第２の固定セグメント
１５１２３    凹みスペース
１５１２４    突出体
１５１３    中間固定セグメント
１５２    弾性部
１５３    当接部
１５３０    傾斜フリップ角
１５４    第２の固定部
１５４０    係止体
１５５    露出部
２    摺動子
２０    末端部
２１    可動部品
３    務歯構造
３１    第１の務歯テープ
３１０    第１の務歯キャリア
３１１    第１の務歯
３２    第２の務歯テープ
３２０    第２の務歯キャリア
３２１    第２の務歯
Ａ    スライダー
Ｈ    均一の厚さ
ｈ１    厚さ
ｈ２    厚さ
ｈ３    厚さ
ｈ４    厚さ
ｈ５    厚さ
ｈ１１    厚さ
ｈ１２    厚さ
ｇ    隙間
Ｗ１’    幅
Ｗ２    幅
Ｗ２’    幅
Ｗ３    幅
Ｗ３’    幅
Ｗ４    幅
Ｗ５    幅
Ｗ１１    幅
Ｗ１２    幅
Ｗ１３    幅
Ｚ    スライダー組合せ構造
【図１】
0003213950.tif 000003
【図２】
0003213950.tif 000004
【図３】
0003213950.tif 000005
【図４】
0003213950.tif 000006
【図５】
0003213950.tif 000007
【図６】
0003213950.tif 000008
【図７】
0003213950.tif 000009
【図８】
0003213950.tif 000010
【図９】
0003213950.tif 000011
【図１０】
0003213950.tif 000012
【図１１】
0003213950.tif 000013
【図１２】
0003213950.tif 000014
【図１３】
0003213950.tif 000015
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
スライダー、弾性部材及びフック部材を備えるスライドユニットと、
前記フック部材と移動可能に相互に嵌合される摺動子と、
を備え、
前記スライダーは、
ベース部と、
それぞれ前記ベース部の二つの反対側端から上方に延びており、双方が相互に対応すると共に前記ベース部の先端部に接続される第１の側止め部と第２の側止め部と、
前記ベース部に設けられると共に前記ベース部の後端部に接続される台座部であって、前記第１の側止め部と前記第２の側止め部との間に位置する貫通式位置決め開口を有する台座部と、
を備え、
前記弾性部材は、前記台座部に設けられると共に前記フック部材に弾性的に当接され、
前記弾性部材は、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部と、
を備え、
前記フック部材は、前記台座部に移動可能に設けられると共に前記弾性部材の前記当接部に移動可能に接触し、
前記フック部材の一方の末端には前記貫通式位置決め開口を通過する位置決め部を有することを特徴とする、スライダー組合せ構造。
【請求項２】
前記弾性部の弾性率を増やすように、前記弾性部の厚さは前記第１の固定部の厚さよりも小さく、
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項１に記載のスライダー組合せ構造。
【請求項３】
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
前記台座部の外表面には内部へ凹む少なくとも一つの凹みスペースを有し、
前記台座部の内表面には少なくとも一つの前記凹みスペースに隣接して対応する少なくとも一つの突出体を有し、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容凹溝に位置制限される係止体を有することを特徴とする、請求項１に記載のスライダー組合せ構造。
【請求項４】
スライドユニットのスライダーの台座部に設けられると共に、前記台座部に移動可能に設けられるフック部材に弾性的に当接される弾性部材であって、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部とを備えることを特徴とする、弾性部材。
【請求項５】
前記弾性部の弾性率を増やすように、前記弾性部の厚さは前記第１の固定部の厚さよりも小さく、
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項４に記載の弾性部材。
【請求項６】
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
前記台座部の外表面には内部へ凹む少なくとも一つの凹みスペースを有し、
前記台座部の内表面には少なくとも一つの前記凹みスペースに隣接して対応する少なくとも一つの突出体を有し、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容凹溝に位置制限される係止体を有することを特徴とする、請求項４に記載の弾性部材。
【請求項７】
スライダー、弾性部材及びフック部材を備えるスライドユニットと、
前記フック部材と移動可能に相互に嵌合される摺動子と、
を備え、
前記スライダーは、
ベース部と、
前記ベース部に設けられ、貫通式位置決め開口を有する台座部と、
を備え、
前記弾性部材は、
前記台座部に固定される第１の固定部と、
前記台座部に固定される第２の固定部と、
前記第１の固定部と前記第２の固定部との間に接続されると共に前記台座部の外部に露出する露出部と、
前記第１の固定部から延在する弾性部と、
前記弾性部から延在すると共に前記フック部材に当接する当接部と、
を備え、
前記フック部材は、前記台座部に移動可能に設けられると共に、前記弾性部材の前記当接部に移動可能に接触し、
前記フック部材の一方の末端には前記貫通式位置決め開口を通過する位置決め部を有し、
前記台座部の外表面には内部へ凹む少なくとも一つの凹みスペースを有し、
前記台座部の内表面には少なくとも一つの前記凹みスペースに隣接して対応する少なくとも一つの突出体を有し、
前記フック部材の他方の末端には前記突出体によって位置制限される固着部を有することを特徴とする、スライダー組合せ構造。
【請求項８】
前記弾性部の弾性率を増やすように、前記弾性部の厚さは前記第１の固定部の厚さよりも小さく、
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて徐々に小さくなり、
前記第１の固定部の厚さ、前記第２の固定部の厚さ及び前記露出部の厚さは全て同様であり、
前記弾性部の厚さは前記当接部の厚さと同様であり、
前記当接部の幅は前記弾性部の幅よりも大きいか、又は前記弾性部の幅に等しく、
前記フック部材は均一の厚さを有することを特徴とする、請求項７に記載のスライダー組合せ構造。
【請求項９】
前記第１の固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて徐々に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
前記前固着セグメントと互いに離間され、前記第２の固定部を固定するための補助固着セグメントと、
を有し、
前記後固着セグメントの幅は前記前固着セグメントの幅よりも小さく、
前記中間固着セグメントの幅は前記前固着セグメントから前記後固着セグメントに向けて徐々に小さくなり、
少なくとも一つの前記凹みスペースと少なくとも一つの前記突出体の何れも前記台座部の前記後固着セグメントに設けられ、
前記台座部は第１の収容凹溝及び第２の収容凹溝を有し、
前記フック部材の他方の末端には、前記突出体を介して前記第１の収容凹溝に位置制限される固着部を有し、
前記第２の固定部は前記第２の収容凹溝に位置制限される係止体を有することを特徴とする、請求項７に記載のスライダー組合せ構造。
【請求項１０】
前記スライダー組合せ構造が、第１の務歯キャリアと前記第１の務歯キャリアに固定される複数の第１の務歯とを備える第１の務歯テープと、第２の務歯キャリアと前記第２の務歯キャリアに固定される複数の第２の務歯を備えると共に前記第１の務歯テープと相互に嵌合される第２の務歯テープとを有する務歯構造に設けられ、
一つの前記第１の務歯が二つの前記第２の務歯間に係止されることによって、前記第１の務歯と二つの前記第２の務歯との間に前記フック部材の前記位置決め部が挿入される隙間を形成することを特徴とする、請求項７に記載のスライダー組合せ構造。